(57)【要約】【課題】  ワイヤ切断の際に必要な力を増大させることなく、かつ、プライヤの肉厚増大による患者の負担増を強いることもなく、従来のプライヤよりも視認性を大幅に向上させることができる歯科矯正用プライヤの提供を目的とする。【解決手段】  軸を中心に回動自在な一対のプライヤ本体と、このプライヤ本体の一端部に形成された切断部と、前記プライヤ本体の他端部に形成された把手とを有し、口腔内の矯正装置にセットされたワイヤの末端を、前記切断部で剪断により切断する歯科矯正用プライヤにおいて、前記一端部が、前記プライヤ本体に対して所定角度で傾斜するとともに、前記切断部が前記プライヤ本体の基準面よりも低い位置に設けられ、前記切断部の手前には、前記プライヤ本体の前記基準面から連続する凹部が形成されている構成とした。【選択図】  図１
2007105100.tif 000002
【特許請求の範囲】
【請求項１】
軸を支点として回動自在な一対のプライヤ本体と、このプライヤ本体の一端部に形成された切断部と、前記プライヤ本体の他端部に形成された把手とを有し、口腔内の矯正装置にセットされたワイヤの末端を、前記切断部で剪断により切断する歯科矯正用プライヤにおいて、
前記一端部が、前記プライヤ本体に対して所定角度で傾斜するとともに、前記切断部が前記プライヤ本体の基準面よりも低い位置に設けられ、前記切断部の他側には、前記プライヤ本体の前記基準面から連続する凹部が形成されていること、
を特徴とする歯科矯正用プライヤ
【請求項２】
前記一端部の先端を前記プライヤ本体の基準面と実質的に同一高さに位置させたことを特徴とする請求項１に記載の歯科矯正用プライヤ。
【請求項３】
前記凹部と前記基準面とを所定角度の傾斜面で連続させたことを特徴とする請求項１又は２に記載の歯科矯正用プライヤ。
【請求項４】
前記先端部の傾斜角αが前記基準面に対して３０°〜４０°の範囲内で、前記凹部に形成された前記傾斜面の傾斜角βが前記基準面に対して１０°〜２０°の範囲内であることを特徴とする請求項１〜３のいずれかに記載の歯科矯正用プライヤ。
【請求項５】
前記切断部に隣接して設けられ、ワイヤの切片を挟持するワイヤ挟持部の一部に、肉厚部を形成したことを特徴とする請求項１〜４のいずれかに記載の歯科矯正用プライヤ。
【発明の詳細な説明】
【技術分野】
【０００１】
本発明は、口腔内の矯正装置にセットされたワイヤの切断に用いられる歯科矯正用プライヤに関し、特に、剪断により前記ワイヤの末端を切断する歯科矯正用プライヤに関する。
【背景技術】
【０００２】
歯科矯正用に用いられる矯正装置は、歯牙の各々に接着されるブラケットと、各ブラケットを連係するようにブラケット内に押し込められたアーチ状のワイヤ（直径０．５１mmの丸線ワイヤ又は０．５６mm×０．７１mmの角線ワイヤ）とから概略構成されている。歯列端から突出するワイヤの末端は、歯科矯正用プライヤを用いて切断される（歯科矯正用プライヤとしては、例えば、非特許文献１参照）。
【非特許文献１】安永コンピュータ株式会社のＨＰ（各種プライヤの紹介ページ：http://www.yasunaga.co.jp/Pliers01.html）
【０００３】
図４及び図５は、歯科矯正用プライヤの一例を示す平面図である。
図５に示すように、歯牙Ｔの各々の表面にはブラケットＢが接着され、各ブラケットＢを連係するようにアーチ状のワイヤｗが装着される。
図４に示すように、歯科矯正用プライヤ１００（以下、プライヤ１００と略記する）は、軸１０１を支点として鋏状に回動する一対のプライヤ本体１１０ａ，１１０ｂと、このプライヤ本体１１０ａ，１１０ｂの先端部１１２ａ，１１２ｂに形成された切断部１１３ａ，１１３ｂと、プライヤ本体１１０ａ，１１０ｂの他端に形成された把手１１１ａ，１１１ｂとを有している。
【０００４】
ワイヤｗを切断する切断部１１３ａ，１１３ｂは、互い違いに配置された刃からなり、切断部１１３ａ，１１３ａの間に配置したワイヤｗを、その両側から剪断によって切断するものである。また、図示のプライヤ１００は、切断部１１３ａ，１１３ｂを含む先端部１１２ａ，１１２ｂが、プライヤ本体１１０ａ，１１０ｂの上面から上方に突出し、かつ、突出した部分が前記上面に対して若干傾斜していて、口腔内で歯列端から突出するワイヤｗの末端を切断する際の作業性の向上を図っている。
【０００５】
プライヤ１００を用いてワイヤｗの切断を行うには、図５に示すように、口腔内にプライヤ１００の先端部１１２ａ，１１２ｂを挿入し、歯列端から突出するワイヤｗの末端を切断部１１３ａ，１１３ｂの間に挿入する。そして、切断位置を口腔外から目視で確認しながら、把手１１１ａ，１１１ｂに力を加え、切断部１１３ａ，１１３ｂでワイヤｗを剪断により切断する。
【０００６】
ところで、図５において符号Ｙの矢印は、プライヤ１００でワイヤｗを切断する際における術者（矯正歯科医）の目視方向を示している。上記した従来のプライヤ１００では、図５に示すように、切断位置の近傍でプライヤ１００と歯列との間の作業視界Ｓを十分に確保することができないうえブラケットＢが障害となってワイヤｗの切断位置を視認しづらく、手探り状態でワイヤｗを切断することになる。そのため、所望の位置でワイヤｗを切断することができないという問題がある。
また、作業視界Ｓを広げようとしてプライヤ１００を歯列に対してさらに傾けようとしても（傾けた状態を図５中仮想線で示す）、患者の口角に阻まれてそれほど大きくは傾けることができず、口角を無理に押し広げようとすると患者に与える負担も大きくなるという問題がある。さらに、プライヤ１００を歯列に対して大きく傾けると、ワイヤｗに対する切断部１１３ａ，１１３ｂの角度も変化して、ワイヤｗの切断面が垂直にならないという不具合が生じる。
【０００７】
このような問題は、切断部１１３ａ，１１３ｂを有する先端部１１２ａ，１１２ｂの傾斜角を大きくすることである程度は解決することができる。
図６は、図５に示したプライヤよりも先端部１１２ａ，１１２ｂの傾斜角を大きくしたプライヤを用いて、ワイヤｗの切断作業を行う様子を説明する図である。
このようなプライヤを用いれば、より大きな作業視界Ｓを確保することができ、視認性も向上するが、作業視界Ｓを大きくした分だけ把手１１１ａ，１１１ｂの力点（図４中符号Ｐで示す点）から切断位置までの水平距離Ｌ及び垂直距離Ｈが大きくなり、ワイヤｗを切断する際に大きな力が必要になるという問題がある。さらに、プライヤ全体の肉厚ｔが増すため、患者の口腔内に差し込みにくく、口腔内に挿入すると患者の口腔が大きく押し広げられることになって、ワイヤ切断の際の患者負担を増大させるという問題もある。
【発明の開示】
【発明が解決しようとする課題】
【０００８】
本発明は、上記した問題を一挙に解決するべくなされたもので、ワイヤの末端を切断する際における術者の作業負担を増大させることなく、かつ、プライヤの肉厚増大による患者の負担増も無く、従来のプライヤよりも視認性を大幅に向上させることができ、所望の切断位置で正確にワイヤを切断することのできる歯科矯正用プライヤの提供を目的とする。
【課題を解決するための手段】
【０００９】
上記の目的を達成するために、請求項１に記載の歯科矯正用プライヤは、軸を支点として回動自在な一対のプライヤ本体と、このプライヤ本体の一端部に形成された切断部と、前記プライヤ本体の他端部に形成された把手とを有し、口腔内の矯正装置にセットされたワイヤの末端を、前記切断部で剪断により切断する歯科矯正用プライヤにおいて、前記一端部が、前記プライヤ本体に対して所定角度で傾斜するとともに、前記切断部が前記プライヤ本体の基準面よりも低い位置に設けられ、前記切断部の他側には、前記プライヤ本体の前記基準面から連続する凹部が形成されている構成としてある。
【００１０】
前記一端部の先端は、請求項２に記載するように、前記プライヤ本体の基準面と実質的に同一高さに位置させるのが好ましい。また、前記凹部と前記基準面とは、請求項３に記載するように、所定角度の傾斜面で連続させるのが好ましい。
この構成によれば、プライヤ本体から切断部が突出することがないので、プライヤの肉厚を従来のプライヤよりも小さくすることができる。また、切断部を有する先端部の傾斜角を大きくとり、かつ、切断部によるワイヤの切断位置をプライヤ本体の基準面と同一レベル又はそれより僅かに低い位置に切断位置を位置させることができるので、ワイヤ切断の際の視認性を大幅に向上させることができる。
前記先端部の傾斜角αは、請求項４に記載するように、基準面に対して３０°〜４０°の範囲内とするとよい。また、前記凹部に形成された前記傾斜面の傾斜角βについても、請求項４に記載するように、基準面に対して１０°〜２０°の範囲内とするとよい。
【００１１】
本発明においては、請求項５に記載するように、前記切断部に隣接して設けられ、ワイヤの切片を挟持するワイヤ挟持部の一部に、肉厚部を形成した構成としてもよい。
このようにすることで、切断部を有する先端部の肉厚が小さくなっても、当該部分の剛性を高めることができる。
【発明の効果】
【００１２】
本発明によれば、切断位置の近傍において歯列とプライヤの間の作業視界を十分に大きく確保して、良好な視認性の下でワイヤの切断作業を行うことができ、ワイヤを所望の位置で切断することができる。
また、本発明のプライヤでは、把手の力点と切断位置までの水平距離及び垂直距離を大きくすることがなく視認性の向上を図ることができ、ワイヤ切断の際の作業負担を増大させることもない。
さらに、本発明では、プライヤの肉厚を増大させることもないので、患者の負担増を強いることもない。
【発明を実施するための最良の形態】
【００１３】
以下、本発明の好適な実施形態を、図面を参照しながら詳細に説明する。
図１は、本発明の一実施形態にかかる歯科矯正用プライヤ（以下、プライヤと略称する）の説明図で、（ａ）はプライヤの先端部分の拡大側面図、（ｂ）はプライヤの先端部分の拡大正面図、（ｃ）は（ａ）のI-I方向断面図である。
プライヤ１は、軸１０によって回動自在に連結された左右一対のプライヤ本体１０ａ，１０ｂと、このプライヤ本体１０ａ，１０ｂの各々の先端に形成された先端部１２ａ，１２ｂと、この先端部１２ａ，１２ｂに形成され、先端部１２ａ，１２ｂを閉じたときに剪断によりワイヤＷを切断する切断部１３ａ，１３ｂとを有している。
先端部１２ａ，１２ａは、プライヤ本体１０ａ，１０ｂの基準面である上面に対して所定の傾斜角αで傾斜している。この傾斜角αは、２５°〜４５°の範囲内とするのがよく、３０°〜４０°の範囲内とするのが好ましい。この実施形態では傾斜角αはおおよそ３５°としてある。
【００１４】
また、先端部１２ａ，１２ａの先端は、基準面であるプライヤ本体１０ａ，１０ｂの上面のレベルＸ−Ｘよりも低い位置にあって、かつ、先端部１２ａ，１２ａの手前にはプライヤ本体１０ａ，１０ｂの一部を切り欠いて凹部１４が形成されている。
先端部１２ａ，１２ａに対峙する凹部１４の面は、切断位置Ｃ近傍での作業視界を大きく確保し、ワイヤｗを切断する際に切断位置Ｃを見やすさくするために、プライヤ本体１０ａ，１０ｂの上面に対して所定の傾斜角βで傾斜する傾斜面１４ａとして形成されている。この傾斜面１４ａの傾斜角βとしては、切断作業中にワイヤｗの切断位置Ｃを見やすいものを選択するとよく、１０°〜２０°の範囲内とするのが好ましい。この実施形態では、傾斜角βはおおよそ１５°としてある。
さらに、プライヤ本体１０ａ，１０ｂの下面と先端部１２ａ，１２ａとは、傾斜面１０ｃ，１０ｄを介して連続している。この傾斜面１０ｃ，１０ｄの上面に対する傾斜角γとしては、プライヤ１の先端部１２ａ，１２ａを患者の口腔内に挿入しやすい角度が選択され、１０°〜２０°の範囲内とするのが好ましい。この実施形態では、傾斜角γはおおよそ１５°としてある。
【００１５】
本発明の先端部１２ａ，１２ｂは、プライヤ本体１０ａ，１０ｂの先端に凹部１４を削成する際に、同時に形成することができる。
一方の先端部１２ｂには、切断したワイヤｗの切片ｗａを挟持する挟持部１５が切断部１３ｂに連続して形成されている。この実施形態のプライヤ１では、挟持部１５の一部に肉厚部１５ａを形成して、先端部１２ｂの剛性を高めている。
【００１６】
図２は、切断部でワイヤを切断するときの状態を説明する図で、先端部の拡大断面図である。
図２（ａ）に示すように、開放状態の先端部１２ａ，１２ｎの間にワイヤｗを挿入し、この状態で先端部１２ａ，１２ｂを閉じて把手１１１ａ，１１１ｂ（図４参照）に力を加えると、互い違いに配置された二つの切断部１３ａ，１３ｂによってワイヤｗが剪断（切断）される。
切断された後のワイヤｗの切片ｗａは、図２（ｂ）に示すように、挟持部１５によって挟持されるので、プライヤ１から脱落させることなく、切片ｗａを口腔内から取り出すことができる。
【００１７】
図３は、口腔内にプライヤを差し込んでワイヤの切断作業を行う様子を示した平面図である。
本発明のプライヤ１との比較のため、プライヤ１と同じ角度で先端部を傾斜させた従来のプライヤ１００を、図３において仮想線で示している。
先端部１２ａ，１２ｂ，１１２ａ，１１２ｂの傾斜角αを同じにすることで、切断位置Ｃ付近の作業視界Ｓは本発明のプライヤ１及び従来技術のプライヤ１００ともにほぼ同じ大きさに確保することができる。しかし、従来のプライヤ１００は、本発明のプライヤ１に比して肉厚が大きくなり、その分患者の口腔を押し広げることになって、患者負担が増すことになる。
また、先に説明したように、傾斜させた分だけ把手１１１ａ，１１１ｂの力点Ｐから切断位置Ｃまでの距離も大きくなるので、切断の際に必要な力が増し、術者の負担を増すことになる。
【００１８】
本発明の好適な実施形態について説明したが、本発明は上記の実施形態に限定されるものではない。
例えば、上記の説明では、先端部１２ａ，１２ｂの先端は基準面であるプライヤ本体１０ａ，１０ｂの上面とほぼ同レベルに位置しているものとして説明したが、切断部１３ａ，１３ｂが前記上面と同レベル又は前記上面よりも低い位置にあればよく、従って、先端部１２ａ，１２ｂの先端はプライヤ本体１０ａ，１０ｂの上面より僅かに突出していてもよいし、前記上面より若干低い位置に位置していてもよい。
【産業上の利用可能性】
【００１９】
本発明は、剪断により矯正用のワイヤの末端を切断する歯科矯正用プライヤに広く適用が可能である。
【図面の簡単な説明】
【００２０】
【図１】本発明の一実施形態にかかる歯科矯正用プライヤの説明図で、（ａ）はプライヤの先端部分の拡大側面図、（ｂ）はプライヤの先端部分の拡大正面図、（ｃ）は（ａ）のI-I方向断面図である。
【図２】切断部でワイヤを切断するときの様子を示す拡大断面図で、（ａ）は切断前を、（ｂ）は切断後を示している。
【図３】口腔内にプライヤを差し込んでワイヤの切断作業を行う様子を示した平面図である。
【図４】本発明の従来例にかかり、歯科矯正用プライヤの一例を示す平面図である。
【図５】図４のプライヤを用いてワイヤの切断を行う様子を説明する図である。
【図６】図５に示したプライヤよりも先端部の傾斜角度を大きくしたプライヤを用いて、ワイヤｗの切断作業を行う様子を説明する図である。
【符号の説明】
【００２１】
１                プライヤ
１０ａ，１０ｂ    プライヤ本体
１０ｃ，１０ｄ    傾斜面
１２ａ，１２ｂ    先端部
１３ａ，１３ｂ    切断部
１４              凹部
１４ａ            傾斜面
１５              挟持部
１５ａ            肉厚部
【図１】
2007105100.tif 000003
【図２】
2007105100.tif 000004
【図３】
2007105100.tif 000005
【図４】
2007105100.tif 000006
【図５】
2007105100.tif 000007
【図６】
2007105100.tif 000008